(57)【要約】【課題】多種類のビットに対して、簡便で操作性が良いビット着脱構造を提供すると共に、簡単にビットを着脱可能かつ安定してビットを収納できるビット装着構造を有する電動工具を提供すること。又、ビット収納部を備える電動工具において、コンパクトで安全なビット装着構造を提供すること。【解決手段】ハンドル１０とバッテリー受け部１３のコーナーにビット収納部１５とハウジング２ａ，２ｂを接合するネジ１６を夫々設ける。更に、片頭ビット１７がビット収納部１５へ片頭ビット１７軸両方向からスライド着脱可能で、片頭ビット１７の周方向及び半径方向の揺動を係止しバッテリー受け部１３をモーター５軸の垂直方向に貫通するかん着部１９と、片頭ビット１７の軸方向の揺動を弾性係止するストッパ２１を突設した複数の平板２２を夫々設ける構成とする。【選択図】      図１
2004174671.tif 000002
【特許請求の範囲】
【請求項１】
電動工具に収容保持可能なビットの装着構造であって、収容保持部に前記ビットが略嵌合する前記ビット軸方向の貫通穴を設けたことを特徴とする電動工具。
【請求項２】
電動工具に収容保持可能な前記ビットの装着構造であって、収容保持部に前記ビットが略嵌合する前記ビット軸方向の貫通溝を設けたことを特徴とする電動工具。
【請求項３】
前記収容保持部は、前記ビットの凹設された首部に弾性係止するストッパを有することを特徴とする請求項１及び請求項２記載の電動工具。
【請求項４】
前記収容保持部は、前記ビットに凹設された首部に弾性係止するストッパを複数有することを特徴とする請求項１及び請求項２記載の電動工具。
【請求項５】
駆動源であるモーターと、該モーターを収容する本体胴体部を有し且つ前記本体胴体部と一体に設けられるハンドル部を有し更に前記ハンドル部下部にバッテリー着脱可能なバッテリー受け部を一体に備える電動工具において、前記ハンドルと前記バッテリー受け部のコーナー部に前記モーター枢軸と垂直方向で前記ビットを収納可能な前記収容保持部を有することを特徴とする電動工具。
【請求項６】
前記ビットが前記バッテリー受け部に略埋設されることを特徴とする請求項１または２または３または４または５に記載の電動工具。
【請求項７】
前記ハンドルと該ハンドルを接合するネジの間に前記ビットが収納されることを特徴とする請求項１または２または３または４または５または６に記載の電動工具。
【発明の詳細な説明】
【０００１】
【発明の属する技術分野】
本発明は、電動工具へのビット装着構造に関するものである。
【０００２】
【従来の技術】
上記ビットはネジ締め作業で先端を破損させ易いためビット交換を行う必要があるが、脚立上や足場上の高所作業でいちいち地上に置いてあるビットに交換するのは煩わしく、ポケット等に交換用ビットを携帯するのはネジ等に紛れて紛失の可能性が高いため、交換用ビットは携帯用工具本体に収納できることが望ましい。そこで、特許文献１に開示されている考案には、ビット軸の周方向及び半径方向における揺動を抑制する手段と、ビットに凹設された首部に係止するストッパを有することでビット軸の軸方向の揺動を弾性係止する手段とを有する電動工具のビット装着構造の一例がある。加えて特許文献１は、スペース効率を稼ぐために、ビット装着部をフック片に設ける構成となっている。
【特許文献１】
特開２００２−２５４３５８号
【０００３】
【発明が解決しようとする課題】
特許文献１のビット装着構造は、図３に示した首部２８を二つ有する両頭ビット２７を装着する場合は良いが、首部２０を一つしか有さない片頭ビット１７を装着する場合には装着向きが一つの向きに限定される。又、片方向よりビットをビット収納部に挿入可能であるが反対方向からビットを挿入できない。更に、フックが不必要な作業者にとってはフックに設けられたビット収納部は邪魔であり電動工具本体が大型化し操作性が低下するいった問題点があった。
本発明の目的は、上記問題点を解決し、多種類のビットを簡単にしかも安全に装着できると共に、コンパクトで操作性の良い電動工具を提供することである。
【０００４】
【課題を解決するための手段】
上記目的を達成するために、請求項１に記載の発明は、電動工具に収容保持可能なビットの装着構造であって、収容保持部に前記ビットが略嵌合する前記ビット軸方向の貫通穴を設けたことを特徴とするものである。
請求項２に記載の発明は、電動工具に収容保持可能な前記ビットの装着構造であって、収容保持部に前記ビットが略嵌合する前記ビット軸方向の貫通溝を設けたことを特徴とするものである。
請求項３に記載の発明は、請求項１または請求項２の目的に加えて、前記収容保持部は、前記ビットに凹設された首部に弾性係止するストッパを有することを特徴とするものである。
請求項４に記載の発明は、請求項１または請求項２の目的に加えて、前記収容保持部は、前記ビットに凹設された首部に弾性係止するストッパを複数有することを特徴とするものである。
請求項５に記載の発明は、駆動源であるモーターと、該モーターを収容する本体胴体部を有し且つ前記本体胴体部と一体に設けられるハンドル部を有し更に前記ハンドル部下部にバッテリー着脱可能なバッテリー受け部を一体に備える電動工具において、前記ハンドルと前記バッテリー受け部のコーナー部に前記モーター枢軸と垂直方向で前記ビットを収納可能な前記収容保持部を有することを特徴とするものである。
請求項６に記載の発明は、請求項１または請求項２または請求項３または請求項４または請求項５の目的に加えて、前記ビットが前記バッテリー受け部に略埋設されることを特徴とするものである。
請求項７に記載の発明は、請求項１または請求項２または請求項３または請求項４または請求項５または請求項６の目的に加えて、前記ハンドルと該ハンドルを接合するネジの間に前記ビットが収納されることを特徴とするものである。
【０００５】
【発明の実施の形態】
以下、本発明フックの一実施形態を図面に基づいて説明する。
【０００６】
図２は、本発明のフックの装着構造を適用したインパクトドライバの全体説明図で、インパクトドライバ１は、ハウジング２及びハンマケース３内で、アンビル４と同軸上に配置されたモータ５により回転する遊星ギヤ部６で回転が減速され、遊星ギヤ部６にスピンドル７を介在して連結されるハンマ８によりアンビル４が回転打撃されるもので、ハウジング２ａとハウジング２ｂがネジ止めされることで、胴体部９と該胴体部９の下方に延設されたハンドル１０が形成されており、胴体部９後方に風窓１１が、ハンドル１０上半部内にはスイッチ１２が、下半部内にはバッテリー受け部１３とバッテリー１４の一部が夫々配設されるが、このようにインパクトドライバ１は内部に隙間がないから、ビット収納部１５及びネジ１６は突出していても操作性上問題の無いバッテリー受け部１３とハンドル１０のコーナー部に設けられる構成が望ましい。
【０００７】
図１はビット収納部１５を備えるインパクトドライバ１の部分説明図で、図１に示すように、ネジ１６は全長が片頭ビット１７の全長よりも短いためビット収納部１５の外側（図の左下側）に隣接される構成にすれば幅１８を小さくできバッテリー受け１３がコンパクトになる。バッテリー受け部１３にはビット収納部１５が埋設され、該ビット収納部１５に片頭ビット１７が略完全に収納される。１９は片頭ビット１７がかん合可能でハウジング２ａ，２ｂをモーター５軸と垂直方向に貫通するかん着部であるが、ハウジング２ａ，２ｂの強度が充分であれば一部を切り欠く構成でも良い。加えて、モーター５軸と平行にかん着部１９を設けることは大型のバッテリーを着脱可能なバッテリー受け部１３でなければ片頭ビット１７の全長を埋設しきれない場合が多く汎用性が低く避けるべきである。２０は片頭ビット１７に凹設された首部、２１は弾性の平板２２から突設され首部２０を弾性係止可能なストッパ、２３はビット収納部１５の一部両側壁が切り欠かれた切り欠き、２４は片頭ビット１７の頭部、２５は片頭ビット１７の後部である。
一方、図３（図２のＡ‐Ａ線相当断面図）に示すように、片頭ビット１７を装着する際は、ストッパ２１が複数設けられているため片頭ビット１７の頭部２４もしくは後部２５のどちらからでも片頭ビット１７軸方向に片頭ビット１７端部を指で押して摺動させれば、かん着部１９にかん合すると共に、片頭ビット１７の首部２０にストッパ２１が弾性係止し、片頭ビット１７がビット収納部１５に組み付けられる。更に、六面体である片頭ビット１７の四面がかん着部１９にかん合状態に保持され、片頭ビット１７は片頭ビット１７の周方向と半径方向の揺動が防止される。加えて、首部２０にストッパ２１が弾性係止され片頭ビット１７の軸方向の揺動が防止されるため、合わせて安定性が良い。しかも、片頭ビット１７が、バッテリー受け部１３に略埋設されており、図４に示すように、片頭ビット１７がハンドル１０を把握する小指２６に当たって小指２６を傷付けてしまう危険性が無く、安全性に優れている。次に、図３に示すように片頭ビット１７を引き出す時は、ビット収納部１５の切り欠き２３のいずれかから指を差し込み片頭ビット１７の端部をビット軸方向に摺動させれば、ストッパ２１もしくは平板２２が片頭ビット１７によって押圧され平板２２がわん曲しストッパ２１による係止が解かれると共に、片頭ビット１７端部をビット収納部１５から側方へ突出させることができ、その端部を指で挟んで引き出せば、片頭ビット１７がビット収納部１５から引き出される。加えて、かん着部１９はバッテリー受け部１３に貫通している貫通穴ため作業者の利き腕に合わせ着脱し易い方向に片頭ビット１７の抜き差しが可能である。しかも、複数のストッパ２１を両頭ビット２７の首部２８の幅に合わせた位置に配設することで両頭ビット２７も装着できる。
このように、ビットが略嵌合する貫通穴形状のビット収納部を設けることで、二方向からビットを着脱でき操作性が良い。更に、ビット首部に弾性係止するストッパにより軸方向の揺動を防ぐと共に簡単に着脱でき、しかも、ストッパを複数設けることで首部を一つしか持たない片頭ビットの頭部と後部のどちらからでも挿入可能であり簡便な操作性を提供できる。加えて、ハンドル下部にバッテリー着脱可能なバッテリー受け部を一体に備える電動工具において、ハンドルとバッテリー受け部のコーナーにモーター枢軸と垂直方向でビット収納部を有することでコンパクトな電動工具になり、更に加えて、ビットがバッテリー受け部に略埋設されて収納できる構成とすることで、ビットがハンドルを把握する小指に当たって小指を傷付けてしまう危険性が無く安全性に優れている。
最後に、以上説明したビット着脱の構成は、コストと組付け手間が掛からない樹脂一体成形の係止手段を持ちいているため、例示したインパクトドライバに限らず、ビットを使用する丸のこ、スクリュードライバー、ドライバードリル、圧縮空気で駆動されるエアツールのドライバー等の携帯用工具に幅広く適用できる。
【図面の簡単な説明】
【図１】本発明ビット装着部の一実施形態を備えたコードレスインパクトドライバを示す、要部拡大分解斜視図。
【図２】本発明ビット装着部の一実施形態を備えたコードレスインパクトドライバを示す、全体正面図及び、右側面図。
【図３】本発明ビット装着部の一実施形態を備えたコードレスインパクトドライバを示す、図２Ａ−Ａ線相当断面図及び、両頭ビット。
【図４】本発明ビット装着部の一実施形態を備えたコードレスインパクトドライバの把握状態を示す、要部拡大斜視図。
【符号の説明】
２ａ，２ｂはハウジング、５はモーター、１０はハンドル、１３はバッテリー受け部、１５はビット収納部、１６はネジ、１７は片頭ビット、１９はかん着部、２１はストッパ、２２は平板である。
【図１】
2004174671.tif 000003
【図２】
2004174671.tif 000004
【図３】
2004174671.tif 000005
【図４】
2004174671.tif 000006